(57)【要約】【課題】浴室などで使用して濡れたタオルを掛けておいた状態で直ちに乾燥させることが可能なタオル乾燥装置を提供する。【解決手段】本発明のタオル乾燥装置は、左右方向に互いに離隔して設けられる一対のタオル乾燥支柱と、タオルを掛けることができるように前記タオル乾燥支柱の間で左右方向に延長されて設けられ、前記タオル乾燥支柱と共に内側にオイルを収容するためのオイル収容空間が形成されるタオル乾燥バーと、一対の前記タオル乾燥支柱のうちいずれか一方の下端に挿入され、前記オイルを加熱するための熱を発生させる電熱器と、前記電熱器と共に挿入され、前記オイルの温度を感知する温度センサーと、前記温度センサーで感知されるオイルの温度値が所定の温度閾値以上であれば、前記電熱器の動作を停止させるコントローラと、前記コントローラに連結され、前記温度閾値を予め設定するための設定温度調節器とを含んでなる。【選択図】図１
2015062673.tif 000002
【特許請求の範囲】
【請求項１】
左右方向に互いに離隔して設けられる一対のタオル乾燥支柱と、
タオルを掛けることができるように前記タオル乾燥支柱の間で左右方向に延長されて設けられ、前記タオル乾燥支柱と共に内側にオイルを収容するためのオイル収容空間が形成されるタオル乾燥バーと、
一対の前記タオル乾燥支柱のうちいずれか一方の下端に挿入され、前記オイルを加熱するための熱を発生させる電熱器と、
前記電熱器と共に挿入され、前記オイルの温度を感知する温度センサーと、
前記温度センサーで感知されるオイルの温度値が所定の温度閾値以上であれば、前記電熱器の動作を停止させるコントローラと、
前記コントローラに連結され、前記温度閾値を予め設定するための設定温度調節器とを含んでなることを特徴とする、タオル乾燥装置。
【請求項２】
前記電熱器は、前記オイルとの接触面を増加させるために上方に「Ｕ」字状に形成されることを特徴とする、請求項１に記載のタオル乾燥装置。
【請求項３】
前記タオル乾燥バーは、前記タオルが掛けられた状態での前側面および後側面に熱を加えるために複数個が上下方向に並んで設けられることを特徴とする、請求項１に記載のタオル乾燥装置。
【請求項４】
前記タオルが掛けられて接触する最上側の前記タオル乾燥バーには内側を下部と上部に区画する隔壁が形成され、内側下部には前記オイル収容空間をなし、内側上部には前記オイルの伝導熱を低減させるための空気収容空間をなすことを特徴とする、請求項３に記載のタオル乾燥装置。
【請求項５】
最上側の前記タオル乾燥バーの空気収容空間には、前記タオルが掛けられるか否かを感知するための近接センサーと、前記タオルに湿気があるか否かを感知するための湿度センサーが上方を向かうように収容され、
前記コントローラは、前記近接センサーの近接信号および前記湿度センサーの湿度信号を受信し、前記タオルが掛けられた状態ではない場合には前記電熱器の動作を停止させ、
前記近接センサーの近接信号によって前記タオルが掛けられた状態と判断される場合には、前記湿度センサーで感知されるタオルの湿度値が所定の湿度閾値以上である場合にのみ前記電熱器を動作させ、
前記タオルの湿度値によって前記電熱器が動作中であっても、前記オイルの温度値が前記温度閾値以上であれば前記電熱器の動作を停止させることを特徴とする、請求項４に記載のタオル乾燥装置。
【請求項６】
前記タオル乾燥支柱および前記タオル乾燥バーの内側には、前記電熱器を中心として前記オイルを循環させるためのオイル循環路が形成され、
前記オイル循環路は、前記電熱器が挿入される一方の前記タオル乾燥支柱の上側に前記オイルを上昇させた後、最上側の前記タオル乾燥バーから最下側の前記タオル乾燥バーまで連続的に流動させ、前記電熱器へ戻すように形成されることを特徴とする、請求項３に記載のタオル乾燥装置。
【請求項７】
前記オイル循環路は、
最上側の前記タオル乾燥バーから最下側の前記タオル乾燥バーまでジグザグ状に連続する一つのオイル路を形成するために、他方の前記タオル乾燥支柱の内側には、上側に位置する第１タオル乾燥バーの他端と下側に位置する第２タオル乾燥バーの他端とを連結する第１連結バーが形成され、一方の前記タオル乾燥支柱の内側には、上側に位置する前記第２タオル乾燥バーの一端と下側に位置する第３タオル乾燥バーの一端とを連結する第２連結バーが形成されることを特徴とする、請求項６に記載のタオル乾燥装置。
【請求項８】
前記オイル循環路内における前記オイルの循環速度を増加させるために、前記電熱器の側方に設けられるオイル循環ファン、および前記オイル循環ファンを回転させるためのオイル循環モーターがさらに形成されることを特徴とする、請求項６に記載のタオル乾燥装置。
【請求項９】
前記オイル循環モーターは、前記電熱器を中心に円形をなして離隔して複数個設けられ、
前記オイル循環ファンは、前記オイル循環モーターそれぞれの回転軸に締結され、上方に延長される十字ファン羽根を備えることを特徴とする、請求項８に記載のタオル乾燥装置。
【請求項１０】
前記オイル循環ファンは、前記電熱器の外側上部と下部にそれぞれ設けられる環状の羽根支持リングと、前記羽根支持リングの間で上下方向に延長される複数のファン羽根板とを含み、
前記オイル循環モーターは、前記電熱器を中心に円形をなして離隔して複数個設けられ、前記オイル循環モーターそれぞれの回転軸が前記羽根支持リングの内周面に噛合されることを特徴とする、請求項８に記載のタオル乾燥装置。
【請求項１１】
他方の前記タオル乾燥支柱の下端には、外部の空気を吸い込むための空気吸込口が設けられ、他方の前記タオル乾燥支柱の内側には、吸い込まれた空気を供給するための空気供給空間が形成され、他方の前記タオル乾燥支柱の側面のうち、前記タオル乾燥バーを向かう側面には、供給される空気を前記タオルに排出するための空気排出口が上下方向に複数個設けられ、
他方の前記タオル乾燥支柱の下部には、前記空気を吸い込んで排出するための空気供給ファンと、前記空気供給ファンの回転力を提供する空気供給モーターがさらに設けられることを特徴とする、請求項３に記載のタオル乾燥装置。
【請求項１２】
前記電熱器と前記温度センサーとは一つのバー状をなすように前記電熱器が前記温度センサーの上方から一直線に設けられるが、前記電熱器の熱が前記温度センサーに直接伝導されないように、前記電熱器の下端と前記温度センサーの上端との間に、相互を断熱および離隔させる断熱材がさらに設けられることを特徴とする、請求項１に記載のタオル乾燥装置。
【発明の詳細な説明】
【技術分野】
【０００１】
本発明は、タオル乾燥装置に係り、より詳しくは、浴室などで使用して濡れたタオルを掛けておいた状態で直ちに乾燥させることが可能なタオル乾燥装置に関する。
【背景技術】
【０００２】
一般に、タオルは、浴室の壁面に取り付けられるタオル掛けに掛けられた状態で洗顔またはシャワーの後に使用され、使用後にも依然としてタオル掛けに掛けられた状態で自然乾燥される。ところが、浴室は、室内空間の中でも特に通風が円滑に行われない空間であって、タオルの完全乾燥までは多くの時間がかかるため、濡れた状態で反復的に使用される場合が大部分である。
【０００３】
このように濡れた状態で使用される場合、水気がうまく拭き取れないため、タオルの機能をまともに発揮できないうえ、湿っぽい状態で皮膚の接触により使用者に不快感を与えるという問題点がある。
【０００４】
また、濡れた状態で継続的に使用される場合は、タオルから悪臭が発生するうえ、細菌の増殖をもたらして使用者の健康を害するおそれもあるという問題点がある。
【０００５】
しかも、速い乾燥が行われないため、１回使用して洗濯機に直ちに入れることにより洗濯の回数が増加するから、タオルの摩耗および損傷を促進し、環境汚染を増加させるという問題点がある。
【発明の概要】
【発明が解決しようとする課題】
【０００６】
本発明は、前述した問題点を解決するためになされたもので、その目的は、浴室などで使用して濡れたタオルを掛けておいた状態で直ちに乾燥させることが可能なタオル乾燥装置を提供することにある。
【０００７】
本発明の他の目的は、タオルを乾燥させる過程でタオルが加熱されて損傷することを防止することが可能なタオル乾燥装置を提供することにある。
【０００８】
本発明の別の目的は、タオルの全面を同一の時間内に同一に乾燥させることが可能なタオル乾燥装置を提供することにある。
【０００９】
本発明の別の目的は、短時間で効率よく乾燥させることが可能なタオル乾燥装置を提供することにある。
【００１０】
本発明の解決しようとする課題は上述した課題に制限されず、上述していない本発明の解決しようとするさらなる課題は以下の記載から本発明の属する技術分野における通常の知識を有する者に明確に理解できるであろう。
【課題を解決するための手段】
【００１１】
本発明に係るタオル乾燥装置は、 左右方向に互いに離隔して設けられる一対のタオル乾燥支柱と、タオルを掛けることができるようにタオル乾燥支柱の間で左右方向に延長されて設けられ、タオル乾燥支柱と共に内側にオイルを収容するためのオイル収容空間が形成されるタオル乾燥バーと、一対のタオル乾燥支柱のうちいずれか一方の下端に挿入され、オイルを加熱するための熱を発生させる電熱器と、電熱器と共に挿入され、オイルの温度を感知する温度センサーと、温度センサーで感知されるオイルの温度値が所定の温度閾値以上であれば電熱器の動作を停止させるコントローラと、コントローラに連結され、温度閾値を予め設定するための設定温度調節器とを含んでなる。
【００１２】
また、本発明の電熱器は、オイルとの接触面を増加させるために上方に「Ｕ」字状に形成されることを特徴とする。
【００１３】
また、タオル乾燥バーは、タオルが掛けられた状態での前側面および後側面に熱を加えるために複数個が上下方向に並んで設けられることを特徴とする。
【００１４】
また、本発明のタオルが掛けられて接触する最上側のタオル乾燥バーには内側を下部と上部に区画する隔壁が形成され、内側下部にはオイル収容空間をなし、内側上部にはオイルの伝導熱を低減させるための空気収容空間をなすことを特徴とする。
【００１５】
また、本発明の最上側のタオル乾燥バーの空気収容空間には、タオルが掛けられるか否かを感知するための近接センサーと、タオルに湿気があるか否かを感知するための湿度センサーが上方を向かうように収容され、コントローラは、近接センサーの近接信号および湿度センサーの湿度信号を受信し、タオルが掛けられた状態ではない場合には電熱器の動作を停止させ、近接センサーの近接信号によってタオルが掛けられた状態と判断される場合には、湿度センサーで感知されるタオルの湿度値が所定の湿度閾値以上である場合にのみ電熱器を動作させ、タオルの湿度値によって電熱器が動作中であっても、オイルの温度値が温度閾値以上であれば電熱器の動作を停止させることを特徴とする。
【００１６】
また、本発明のタオル乾燥支柱およびタオル乾燥バーの内側には、電熱器を中心としてオイルを循環させるためのオイル循環路が形成され、オイル循環路は、電熱器が挿入される一方のタオル乾燥支柱の上側にオイルを上昇させた後、最上側のタオル乾燥バーから最下側のタオル乾燥バーまで連続的に流動させ、電熱器へ戻すように形成されることを特徴とする。
【００１７】
また、本発明のオイル循環路は、最上側のタオル乾燥バーから最下側のタオル乾燥バーまでジグザグ状に連続する一つのオイル路を形成するために、他方のタオル乾燥支柱の内側には、上側に位置する第１タオル乾燥バーの他端と下側に位置する第２タオル乾燥バーの他端とを連結する第１連結バーが形成され、一方のタオル乾燥支柱の内側には、上側に位置する第２タオル乾燥バーの一端と下側に位置する第３タオル乾燥バーの一端とを連結する第２連結バーが形成されることを特徴とする。
【００１８】
また、本発明では、オイル循環路内におけるオイルの循環速度を増加させるために、電熱器の側方に設けられるオイル循環ファン、およびオイル循環ファンを回転させるためのオイル循環モーターがさらに形成されることを特徴とする。
【００１９】
また、本発明のオイル循環モーターは、電熱器を中心に円形をなして離隔して複数個設けられ、オイル循環ファンは、オイル循環モーターそれぞれの回転軸に締結され、上方に延長される十字ファン羽根を備えることを特徴とする。
【００２０】
また、本発明のオイル循環ファンは、電熱器の外側上部と下部にそれぞれ設けられる環状の羽根支持リングと、羽根支持リングの間で上下方向に延長される複数のファン羽根板とを含み、オイル循環モーターは、電熱器を中心に円形をなして離隔して複数個設けられ、オイル循環モーターそれぞれの回転軸が羽根支持リングの内周面に噛合されることを特徴とする。
【００２１】
また、本発明の他方のタオル乾燥支柱の下端には、外部の空気を吸い込むための空気吸込口が設けられ、他方のタオル乾燥支柱の内側には、吸い込まれた空気を供給するための空気供給空間が形成され、他方のタオル乾燥支柱の側面のうち、タオル乾燥バーを向かう側面には、供給される空気をタオルに排出するための空気排出口が上下方向に複数個設けられ、他方のタオル乾燥支柱の下部には、空気を吸い込んで排出するための空気供給ファンと、空気供給ファンの回転力を提供する空気供給モーターがさらに設けられることを特徴とする。
【００２２】
また、本発明の電熱器と温度センサーとは一つのバー状をなすように電熱器が温度センサーの上方から一直線に設けられるが、電熱器の熱が温度センサーに直接伝導されないように、電熱器の下端と温度センサーの上端との間に、相互を断熱および離隔させる断熱材がさらに設けられることを特徴とする。
【発明の効果】
【００２３】
上記課題の解決手段によって、本発明のタオル乾燥装置は、浴室などで使用して濡れたタオルを掛けておいた状態で直ちに乾燥させることができるという効果がある。
【００２４】
また、本発明のタオル乾燥装置は、乾燥させる過程でタオルが加熱されて損傷することを防止することができるという効果がある。
【００２５】
また、本発明のタオル乾燥装置は、タオルの全面を同一の時間内に同一に乾燥させることができるという効果がある。
【００２６】
また、本発明のタオル乾燥装置は、タオルを短時間で効率よく乾燥させることができるという効果があり、これによりタオルの機能をまともに発揮することができ、使用者に快適さを与えることができ、タオルにおける悪臭の発生および細菌の増殖を防止することができ、洗濯回数を減少させてタオルの摩耗および損傷を防止することができ、環境汚染を低減させることができる。
【図面の簡単な説明】
【００２７】
【図１】本発明の第１実施例に係るタオル乾燥装置の斜視図である。
【図２】本発明の第１実施例に係るタオル乾燥装置の縦断面図である。
【図３】本発明の第１実施例に係るタオル乾燥装置の電熱器および温度センサーを示す斜視図である。
【図４】本発明の第２実施例に係るタオル乾燥装置の最上側のタオル乾燥バーを説明するための図である。
【図５】本発明の第３実施例に係るタオル乾燥装置の縦断面図である。
【図６】本発明の第３実施例に係るタオル乾燥装置のブロック図である。
【図７】本発明の第４実施例に係るタオル乾燥装置の縦断面図である。
【図８】本発明の第５実施例に係るタオル乾燥装置の縦断面図である。
【図９】本発明の第５実施例に係るタオル乾燥装置の横断面図である。
【図１０】本発明の第５実施例に係るタオル乾燥装置の他の構造を示す縦断面図である。
【図１１】本発明の第５実施例に係るタオル乾燥装置の他の構造を示す横断面図である。
【図１２】本発明の第６実施例に係るタオル乾燥装置の縦断面図である。
【図１３】本発明の第７実施例に係るタオル乾燥装置の電熱器および温度センサーを示す斜視図である。
【発明を実施するための形態】
【００２８】
上述したような本発明の解決しようとする課題、課題の解決手段、発明の効果を含む具体的な事項は、下記の実施例および図面に含まれている。本発明の利点、特徴、およびそれらを達成する方法は、添付図面と共に詳細に後述されている実施例を参照すると明確になるだろう。
以下、添付図面を参照して、本発明をより詳細に説明する。
【００２９】
＜第１実施例＞
図１〜図３は本発明の第１実施例に係るタオル乾燥装置を説明するための図である。具体的に、図１は本発明の第１実施例に係るタオル乾燥装置の斜視図、図２は本発明の第１実施例に係るタオル乾燥装置の縦断面図、図３は本発明の第１実施例に係るタオル乾燥装置の電熱器および温度センサーを示す斜視図である。
【００３０】
図１〜図３に示すように、本発明の第１実施例に係るタオル乾燥装置は、タオル乾燥支柱１１０、タオル乾燥バー１２０、電熱器１３０、温度センサー１４０、コントローラ１５０および設定温度調節器１７０を含む。
【００３１】
タオル乾燥支柱１１０は、上下方向に延長される金属材質の支柱状に形成される。また、タオル乾燥支柱１１０は、タオル乾燥バー１２０を支持することもできるように、左右方向に互いに離隔して一対のタオル乾燥支柱１１０ａ、１１０ｂから構成される。それぞれのタオル乾燥支柱１１０ａ、１１０ｂは、内部にオイルを収容することができるように内側が中空部からなる。
【００３２】
タオル乾燥バー１２０は、タオル１０を掛けることができるようにタオル乾燥支柱１１０ａ、１１０ｂの間で左右方向に延長されて設けられる。タオル乾燥バー１２０は、円筒状をし、タオル乾燥支柱１１０ａ、１１０ｂと共に内側にオイルを収容するためのオイル収容空間が形成される。タオル乾燥バー１２０の場合にも金属材質から形成されることが好ましい。
【００３３】
また、図１および図２を参照すると、タオル乾燥バー１２０は、タオルが掛けられた状態での前側面および後側面に熱を加えるために、複数個が上下方向に並んで設けられることが可能である。すなわち、最上側のタオル乾燥バーを除いた残りの下側のタオル乾燥バーはタオルの側面加熱用として使用される。一方、図１および図２に示すように、複数のタオル１０を掛けることができるように、タオル乾燥バー１２０は、上下方向に３つが一つのタオル乾燥バー群をなし、総２つのタオル乾燥バー群が形成される。それぞれのタオル乾燥バー群の間には、掛けられるタオル同士が重なり合うなどの干渉が起こらないように離隔間隔がさらに大きく形成されるようにする。
【００３４】
電熱器１３０は、一対のタオル乾燥支柱１１０ａ、１１０ｂのうちいずれか一方１１０ａの下端に挿入され、オイル２０を加熱するための熱を発生させる。すなわち、本発明の第１実施例に係るタオル乾燥装置は、内部に収容されるオイル２０を加熱し、オイル２０から熱の伝達を受けてタオル１０を再加熱して乾燥させる構造を取っている。このようにオイル２０を用いた間接加熱構造によって、一部分で急激に温度が上昇することなく、タオル乾燥装置の全体体積にわたって同時に均一に温度が上昇するので、タオル１０の全面を安全且つ速く乾燥させることができる。一方、本発明の第１実施例に係る電熱器１３０は、オイル２０との接触面を増加させるために上方に「Ｕ」字状に形成されることが可能である。電熱器１３０の表面は金属材質から形成され、内部には抵抗発熱体と絶縁支持体から構成され、電熱器１３０を支持し且つタオル乾燥支柱１１０ａに締結するための締結板１３１が設けられる。
【００３５】
温度センサー１４０は、電熱器１３０と共に挿入され、オイル２０の温度を直接感知する。
【００３６】
コントローラ１５０は、温度センサー１４０で感知されるオイル２０の温度値が所定の温度閾値以上であれば電熱器の動作を停止させるようにする。すなわち、本発明の第１実施例では、タオル乾燥装置の急激な温度上昇によってタオル１０が煤けるあるいは燃えることを防止することができるように、高温では電熱器１３０をオフさせる構成を取る。ここで、温度閾値は、繊維が煤けるあるいは燃えることのない温度である６０℃程度に設定することが好ましい。
【００３７】
設定温度調節器１７０は、コントローラ１５０に連結され、上記の温度閾値を使用者の所望するとおりに予め設定することができる。具体的に、設定温度調節器１７０は、調節器ケース１７１と、設定温度を使用者が調節するための調節器ダイヤル１７２と、電熱器１３０に電源が供給されるか否かを表示する電源供給ランプ１７３とを含んでなる。このような構成によって使用者が任意に温度閾値を調節することができ、コントローラ１５０は、設定温度調節器１７０で設定される温度閾値に応じて電熱器の動作を制御する。よって、設定温度調節器１７０で温度閾値を高く設定した場合には、速い乾燥を図ることができ、温度閾値を低く設定した場合には、省エネルギーを図ることができる。すなわち、使用者の好みに応じて電熱器の作動温度を任意に調節することができる。
【００３８】
一方、本発明の第１実施例に係るタオル乾燥装置は、外部電源に連結するための電源ケーブル１６０と、電源ケーブルの端部にコンセントが設けられる。
【００３９】
このように、本発明の第１実施例に係るタオル乾燥装置は、浴室で使用して濡れたタオルを掛けておいた状態で直ちに乾燥させることができ、この乾燥過程でタオルが加熱されて損傷することを防止することができるという利点がある。
【００４０】
＜第２実施例＞
図４は本発明の第２実施例に係るタオル乾燥装置の最上側のタオル乾燥バーを説明するための図である。
【００４１】
図４に示すように、本発明の第２実施例に係るタオル乾燥装置のタオル乾燥支柱２１０、タオル乾燥バー２２０、電熱器２３０、温度センサー２４０、コントローラ２５０および設定温度調節器２７０は、本発明の第１実施例に係るタオル乾燥装置のタオル乾燥支柱１１０、タオル乾燥バー１２０、電熱器１３０、温度センサー１４０、コントローラ１５０および設定温度調節器１７０と同一または類似した構造および動作特性を持つので、これらの構成要素に関するより詳細な説明は、図１〜図３に基づいて上述した本発明の第１実施例を参考とし、以下では省略する。
【００４２】
本発明の第２実施例に係るタオル１０が掛けられて接触する最上側のタオル乾燥バー２２０ａ、２２０ｂには内側を下部と上部に区画する隔壁２２１ａ、２２１ｂが形成されるため、内側下部にはオイル２０を収容するためのオイル収容空間をなし、内側上部にはオイルの伝導熱を低減させるための空気収容空間をなすことが可能である。
【００４３】
すなわち、タオル１０が掛けられる最上側のタオル乾燥バー２２０ａ、２２０ｂの上面はタオル１０の自重によってタオル１０と常に接触している状態なので、タオル１０の掛けられた状態での上側面にはタオル乾燥バー２２０ａ、２２０ｂから熱伝導によって乾燥熱が提供される。これに対し、タオル１０の掛けられた状態での前側面と後側面は、最上側のタオル乾燥バー２２０ａ、２２０ｂから下側に連続的に設けられるタオル乾燥バー２２０に対して接触または離隔した状態を保つので、熱伝導または熱対流によって乾燥熱が提供される。すなわち、上側面は、前側面および後側面より乾燥熱が多く提供されるので、同一の時間加熱して乾燥させる場合、上側面が焦げ付くおそれがある。本発明の第２実施例では、上側面が焦げ付くことを防止するために、最上側のタオル乾燥バー２２０ａ、２２０ｂの内側上部にはオイルの伝導熱を低減させるための空気収容空間をさらに形成することにより、前側面および後側面と乾燥熱提供量を合わせることができる。
【００４４】
このように、本発明の第２実施例に係るタオル乾燥装置は、一層タオル１０の全面を同一の時間内に同一に乾かすことができるという利点がある。
【００４５】
＜第３実施例＞
図５および図６は本発明の第３実施例に係るタオル乾燥装置を説明するための図である。具体的に、図５は本発明の第３実施例に係るタオル乾燥装置の縦断面図、図６は本発明の第３実施例に係るタオル乾燥装置のブロック図である。
【００４６】
図５および図６に示すように、本発明の第３実施例に係るタオル乾燥装置のタオル乾燥支柱３１０、タオル乾燥バー３２０、電熱器３３０、温度センサー３４０、コントローラ３５０および設定温度調節器３７５は、本発明の第１実施例および第２実施例に係るタオル乾燥装置のタオル乾燥支柱１１０、２１０、タオル乾燥バー１２０、２２０、電熱器１３０、２３０、温度センサー１４０、２４０、コントローラ１５０、２５０および設定温度調節器１７０、２７０と同一または類似した構造および動作特性を持つので、これらの構成要素に関するより詳細な説明は、図１〜図４に基づいて上述した本発明の第１実施例および第２実施例を参考とし、以下では省略する。
【００４７】
本発明の第３実施例に係る最上側のタオル乾燥バー３２０ａ、３２０ｂの空気収容空間には、タオルが掛けられるか否かを感知するための近接センサー３７０と、タオルに湿気があるか否かを感知するための湿度センサー３８０が上方に向かうように収容される。
また、コントローラ３５０は、近接センサー３７０の近接信号および湿度センサー３８０の湿度信号を受信し、タオルが掛けられた状態ではない場合には電熱器３３０の動作を停止させる。
【００４８】
また、近接センサー３７０の近接信号によってタオルが掛けられた状態と判断される場合には、湿度センサー３８０で感知されるタオルの湿度値が所定の湿度閾値以上である場合にのみ電熱器３３０を動作させる。
【００４９】
この際、タオル１０の湿度値によって電熱器３３０が動作中であっても、オイルの温度値が温度閾値以上であれば電熱器３３０の動作を停止させるようにする。すなわち、温度値が湿度値に先行決定要素として作用するようにしてタオル１０の損傷を防止するようにする。また、上下側のタオル乾燥バー群のうちいずれか一つでもオン動作条件またはオフ動作条件が発生すると、電熱器３３０は作動するようにする。
【００５０】
このように、本発明の第３実施例では、濡れたタオルが掛けられる場合にのみ電熱器が自動で作動できるように構成することにより、タオルをより効率よく乾燥させることができ、省エネルギーを図ることができるという利点がある。
【００５１】
＜第４実施例＞
図７は本発明の第４実施例に係るタオル乾燥装置の縦断面図である。
【００５２】
図７に示すように、本発明の第４実施例に係るタオル乾燥支柱４１０およびタオル乾燥バー４２０の内側には、電熱器４３０を中心にオイル２０を循環させるためのオイル循環路（図７で矢印を参照）が形成される。
【００５３】
オイル循環路は、電熱器４３０が挿入される一方のタオル乾燥支柱４１０ａの上側にオイル２０を上昇させた後、最上側のタオル乾燥バー４２０から最下側のタオル乾燥バー４２０まで連続的に流動させ、電熱器４３０へ戻すように形成されることが可能である。
【００５４】
ここで、オイル循環路は、最上側のタオル乾燥バー４２０から最下側のタオル乾燥バー４２０までジグザグ状に連続する一つのオイル路を形成するために、他方のタオル乾燥支柱４１０ｂの内側には、上側に位置する第１タオル乾燥バー４２０の他端と下側に位置する第２タオル乾燥バー４２０の他端とを連結する第１連結バー４２５ａ、４２５ｃ、４２５ｅが形成され、一方のタオル乾燥支柱４１０ａの内側には、上側に位置する第２タオル乾燥バー４２０の一端と下側に位置する第３タオル乾燥バー４２０の一端とを連結する第２連結バー４２５ｂ、４２５ｄが形成される。
【００５５】
このように、本発明の第４実施例では、全体タオル乾燥装置を循環する一つのオイル閉循環路を形成することにより、加熱されたオイルが全体を均一に循環することが可能な構造をなすことができる。これにより、一層タオルの全面を同一の時間内に同一に乾燥させることができ、短時間で効率よく乾燥させることができるという利点がある。
【００５６】
＜第５実施例＞
図８および図９は本発明の第５実施例に係るタオル乾燥装置を説明するための図である。具体的に、図８は本発明の第５実施例に係るタオル乾燥装置の縦断面図、図９は本発明の第５実施例に係るタオル乾燥装置の横断面図、図１０は本発明の第５実施例に係るタオル乾燥装置の他の構造を示す縦断面図、図１１は本発明の第５実施例に係るタオル乾燥装置の他の構造を示す横断面図である。
【００５７】
図８〜図１１に示すように、本発明の第５実施例では、オイル循環路内でオイルの循環速度を増加させるために、電熱器５３０の側方に設けられるオイル循環ファン５７０、５９０、およびオイル循環ファン５７０、５９０を回転させるためのオイル循環モーター５６０、５８０がさらに設けられることが可能である。
【００５８】
すなわち、オイルの循環を円滑にし且つオイルの循環速度を増加させることにより、一層タオルの全面を同一の時間内に同一に乾燥させることができ、短時間で効率よく乾燥させることができるという利点がある。
【００５９】
オイル循環ファン５７０、５９０、およびオイル循環ファン５７０、５９０を回転させるためのオイル循環モーター５６０、５８０の構成をより具体的に考察すると、図８および図９では、オイル循環モーター５６０は、電熱器５３０を中心に円形をなして離隔して複数個設けられ、オイル循環ファン５７０は、オイル循環モーター５６０それぞれの回転軸に締結され、上方に延長される十字ファン羽根を備えることが可能である。それぞれのオイル循環ファン５７０から発生する回転力がオイル２０の循環動力として作用する一方、オイル循環ファン５７０の回転によってオイルの流動が円滑に行われるので、循環して戻されるオイル２０に対して電熱器５３０の熱が効果的に供給される。
【００６０】
図１０および図１１では、オイル循環ファン５９０は、電熱器５３０の外側上部と下部にそれぞれ設けられる環状の羽根支持リング５９１ａ、５９１ｂと、羽根支持リング５９１ａ、５９１ｂの間で上下方向に延長される複数のファン羽根板５９２とを含み、オイル循環モーター５８０は、電熱器５３０を中心に円形をなして離隔して複数個設けられ、オイル循環モーター５８０それぞれの回転軸が下部の羽根支持リング５９１ｂの内周面に噛合されることが可能である。外郭に設けられる一つの大型オイル循環ファン５９０から発生する回転力がオイル２０の循環動力として作用する一方、オイル循環ファン５９０の回転によってオイルの流動が円滑に行われるので、循環して戻されるオイル２０に対して電熱器５３０の熱が効果的に供給される。
【００６１】
ここで、図８および図９によるオイル循環ファン５７０の構造と、図１０および図１１によるオイル循環ファン５９０の構造および形状は、それぞれが中央に設けられる電熱器５３０および温度センサー５４０との干渉を最小化する一方、オイルの循環速度を最大限増加させることができるように構成されたものである。
【００６２】
＜第６実施例＞
図１２は本発明の第６実施例に係るタオル乾燥装置の縦断面図である。
図１２に示すように、本発明の第６実施例に係るタオル乾燥装置は、他方のタオル乾燥支柱６１０ｂの下端面６１１には外部の空気を吸い込むための空気吸込口６１２が設けられ、他方のタオル乾燥支柱６１０ｂの内側には吸い込まれた空気を供給するための空気供給空間６１３が設けられ、他方のタオル乾燥支柱６１０ｂの側面のうちタオル乾燥バー６２０を向かう側面には供給される空気をタオルに排出するための空気排出口６１４が上下方向に複数個設けられる。
【００６３】
また、他方のタオル乾燥支柱６１０ｂの下部には、空気を吸い込んで排出するための空気供給ファン６１５、および空気供給ファン６１５の回転力を提供する空気供給モーター６１６がさらに設けられることが可能である。
【００６４】
このように、本発明の第６実施例に係るタオル乾燥装置は、タオル２０の前側面と後側面との間で風を吹き出す機能を有することにより、タオルの乾燥効率を一層向上させることができる。
【００６５】
＜第７実施例＞
図１３は本発明の第７実施例に係るタオル乾燥装置の電熱器および温度センサーを示す斜視図である。
【００６６】
図１３に示すように、本発明の第７実施例に係るタオル乾燥装置の電熱器７３０と温度センサー７４０は、一つのバー状をなすように、電熱器７３０が温度センサー７４０の上方から一直線に設けられる。
【００６７】
この際、電熱器７３０の下端に温度センサー７４０が直ちに締結されると、発生する熱が伝導されるので、オイルの温度ではなく電熱器７３０自体の発熱温度が感知されてタオル乾燥装置が正確なオンオフ動作をしないおそれがある。よって、本発明の第７実施例では、電熱器７３０の熱が温度センサー７４０に直接伝導されないように、電熱器７３０の下端と温度センサー７４０の上端との間に、相互を断熱および離隔させる断熱材７３５がさらに設けられることが可能である。
【００６８】
具体的に、円形バー状をなす電熱器７３０の内部には、発熱コイルなどが収容されて発熱し、円形バー状をなす温度センサー７４０の内部には、温度センシングのためのセンサー素子が設けられ、電熱器７３０と温度センサー７４０との間に設けられる断熱材７３５の内部には、電熱器７３０に電源を供給するための電線および各種電装品が内在する。ここで、電線は温度センサー７４０の内部を経て外部の電源ケーブル（図２の図面符号「１６０」を参照）をなす。
【００６９】
また、断熱材７３５は、電熱器７３０から発生する熱が温度センサー７４０へ伝導されることを十分遮断することができ、離隔距離を容易に調節して装着することができ、製造が容易な耐熱性シリコン材質から形成することが好ましい。実質的には、断熱材７３５の内部に様々な構成要素を収容し且つ製造および離隔距離調節を容易にするために、断熱材７３５を円筒状のシリコンホースから形成することが可能である。
【００７０】
このように、本発明の第７実施例に係るタオル乾燥装置の電熱器７３０と温度センサー７４０は、一直線状の一つのバー状をなすことができるので、上下方向に長く側面方向に狭小な空間をなすタオル乾燥支柱１１０の内側で効果的に設置空間を確保することができるうえ、タオル乾燥効率を向上させるために電熱器７３０および温度センサー７４０の体積を側面方向に十分に大きくすることができる。
【００７１】
このように、本発明の一実施例に係るタオル乾燥装置は、浴室で使用して濡れたタオルを掛けておいた状態で直ちに乾燥させることができ、この乾燥過程でタオルが加熱されて損傷することを防止することができ、タオルの全面を同一の時間内に同一に乾燥させることができ、タオルを短時間で効率よく乾燥させることができるという利点がある。
これにより、タオルの機能をまともに発揮することができ、使用者に快適さを与えることができ、タオルにおける悪臭の発生および細菌の増殖を防止することができるうえ、洗濯回数を減少させてタオルの磨耗および損傷を防止することができ、環境汚染を低減させることができる。
【００７２】
このように、上述した本発明の技術的構成は本発明のその技術的思想または必須的特徴を変更することなく他の具体的な形態で実施できることを、 本発明の属する技術分野における当業者であれば理解することができるであろう。
【００７３】
よって、上述した実施例は、全ての面で例示的なもので、限定的なものではないと理解されるべきである。本発明の範囲は上記の詳細な説明よりは後述の特許請求の範囲によって示され、特許請求の範囲の意味および範囲、そしてその等価概念から導出される全ての変更または変形した形態も本発明の範囲に含まれると解釈されるべきである。
【符号の説明】
【００７４】
１０  タオル
２０  オイル
１１０、２１０、３１０、４１０、５１０、６１０  タオル乾燥支柱
１２０、２２０、３２０、４２０、５２０、６２０  タオル乾燥バー
１３０、２３０、３３０、４３０、５３０、６３０、７３０  電熱器
１３１、２３１、３３１、４３１、５３１、６３１、７３１  締結板
１４０、２４０、３４０、４４０、５４０、６４０、７４０  温度センサー
１５０、２５０、３５０、４５０、５５０、６５０、７５０  コントローラ
１６０  電源ケーブル
１７０、２７０、３７５、４７５  設定温度調節器
１７１  調節器ケース
１７２  調節器ダイヤル
１７３  電源供給ランプ
２２１ａ、２２１ｂ  隔壁
３７０  近接センサー
３８０  湿度センサー
４２５ａ、４２５ｃ、４２５ｅ  第１連結バー
４２５ｂ、４２５ｄ  第２連結バー
５６０、５８０  オイル循環モーター
５７０、５９０  オイル循環ファン
６１１  他方のタオル乾燥支柱の下端面
６１２  空気吸込口
６１３  空気供給空間
６１４  空気排出口
６１５  空気供給ファン
６１６  空気供給モーター
７３５  断熱材
【図１】
2015062673.tif 000003
【図２】
2015062673.tif 000004
【図３】
2015062673.tif 000005
【図４】
2015062673.tif 000006
【図５】
2015062673.tif 000007
【図６】
2015062673.tif 000008
【図７】
2015062673.tif 000009
【図８】
2015062673.tif 000010
【図９】
2015062673.tif 000011
【図１０】
2015062673.tif 000012
【図１１】
2015062673.tif 000013
【図１２】
2015062673.tif 000014
【図１３】
2015062673.tif 000015